(57)【要約】【課題】記録した番組コンテンツに対応付けて記録する付加情報をより簡単に操作入力することを課題とする。【解決手段】付加情報の変更操作欄111、及び、音声文字ページP1を表示させ、該表示させた音声文字ページP1に含まれる文字のコピー操作を受け付け、該受け付けた文字を変更操作欄111に貼り付け、コピー操作を受け付けた文字に含まれる語句を関連語句D12として付加情報記録手段U4で記録したジャンル情報D25に対応付けて関連語句記録部84aに記録し、付加情報D22を対応付ける番組コンテンツD21と以前にコンテンツ記録手段U1で記録された番組コンテンツD21とが同じシリーズ物であるか否かを判断し、シリーズ物であると判断された場合、音声文字ページP1の中から以前にコンテンツ記録手段U1で記録された同じシリーズ物の番組コンテンツD21に対応付けられたジャンルの関連語句D12を含む音声文字ページP1を優先して表示させる。【選択図】図１６
2012044462.tif 000002
【特許請求の範囲】
【請求項１】
番組コンテンツ及び番組情報を含む放送データを受信する受信手段と、
受信された前記放送データに含まれる番組コンテンツを記録するコンテンツ記録手段と、を備える記録再生装置において、
前記番組コンテンツをジャンル毎に分類するためのジャンル情報と、該ジャンルの関連語句と、を対応付けて記録した関連語句記録部と、
記録される前記番組コンテンツの音声に対応する文字を表示させるための音声文字ページを順次生成する音声文字ページ生成手段と、
前記コンテンツ記録手段で記録された番組コンテンツに対応付けるための付加情報の変更操作欄、及び、前記音声文字ページを表示装置に表示させ、該表示させた音声文字ページに含まれる文字のコピー操作を受け付け、該受け付けた文字を前記変更操作欄に貼り付ける付加情報変更手段と、
前記変更操作欄で受け付けられた付加情報と、前記関連語句記録部に記録されている一以上のジャンル情報と、を前記コンテンツ記録手段で記録された番組コンテンツに対応付けて記録する付加情報記録手段と、
前記コピー操作を受け付けた文字に含まれる語句を前記関連語句として前記付加情報記録手段で記録したジャンル情報に対応付けて前記関連語句記録部に記録する関連語句追加手段と、
前記付加情報を対応付ける番組コンテンツと以前に前記コンテンツ記録手段で記録された番組コンテンツとが同じシリーズ物であるか否かを判断するシリーズ物判定手段と、を備え、
前記音声文字ページ生成手段は、前記シリーズ物判定手段でシリーズ物であると判断された場合、前記音声文字ページの中から以前に前記コンテンツ記録手段で記録された同じシリーズ物の番組コンテンツに対応付けられたジャンルの関連語句を含む音声文字ページを優先して前記表示装置に表示させることを特徴とする記録再生装置。
【請求項２】
前記音声文字ページ生成手段は、前記コンテンツ記録手段で記録される番組コンテンツの音声を音声認識により文字に変換し、該変換した文字を表示させるための前記音声文字ページを順次生成することを特徴とする請求項１に記載の記録再生装置。
【請求項３】
前記音声文字ページ生成手段は、前記放送データに字幕情報が含まれているか否かを判断し、字幕情報が含まれていると判断した場合に該字幕情報を前記コンテンツ記録手段で記録される番組コンテンツの音声に対応する文字として前記音声文字ページを順次生成することを特徴とする請求項１又は請求項２に記載の記録再生装置。
【請求項４】
前記音声文字ページ生成手段は、前記コンテンツ記録手段で記録される番組コンテンツの音声を所定の時間間隔毎に区切り、該区切った音声から文字を抽出し、該抽出した文字を含む前記音声文字ページを順次生成することを特徴とする請求項１〜請求項３のいずれか一項に記載の記録再生装置。
【請求項５】
前記音声文字ページ生成手段は、前記シリーズ物判定手段でシリーズ物であると判断された場合であって、以前に前記コンテンツ記録手段で記録された同じシリーズ物の番組コンテンツに前記付加情報記録手段で複数の前記ジャンル情報が対応付けられて記録されている場合、前記音声文字ページの中から以前に前記コンテンツ記録手段で記録された同じシリーズ物の番組コンテンツに対応付けられた最多数のジャンルの関連語句を含む音声文字ページを優先して前記表示装置に表示させることを特徴とする請求項１〜請求項４のいずれか一項に記載の記録再生装置。
【請求項６】
前記付加情報変更手段は、前記シリーズ物判定手段でシリーズ物であると判断された場合、前記音声文字ページの中から以前に前記コンテンツ記録手段で記録された同じシリーズ物の番組コンテンツに対応付けられたジャンルの関連語句を含む文を抽出して該文の一覧の音声文字ページを前記表示装置に表示させ、該表示させた音声文字ページに含まれる文字のコピー操作を受け付け、該受け付けた文字を前記変更操作欄に貼り付けることを特徴とする請求項１〜請求項５のいずれか一項に記載の記録再生装置。
【請求項７】
前記付加情報変更手段は、前記音声文字ページの中から前記コンテンツ記録手段で記録された番組コンテンツの番組開始から所定時間後の時間に最も近い音声文字ページを優先して前記表示装置に表示させることを特徴とする請求項１〜請求項６のいずれか一項に記載の記録再生装置。
【請求項８】
前記音声文字ページ生成手段は、前記シリーズ物判定手段でシリーズ物であると判断された場合、以前に前記コンテンツ記録手段で記録された同じシリーズ物の番組コンテンツに対応付けられた付加情報を受け付けた文字を含む音声文字ページが生成された時刻を含む所定範囲の時間内のみ、前記コンテンツ記録手段で記録される番組コンテンツの音声に対応する文字を表示させるための前記音声文字ページを生成することを特徴とする請求項１〜請求項７のいずれか一項に記載の記録再生装置。
【請求項９】
番組コンテンツ（Ｄ２，Ｄ３）及び番組情報（Ｄ４）を含むデジタル放送データ（Ｄ１）を受信する受信手段（２）と、
受信された前記デジタル放送データ（Ｄ１）に含まれる番組コンテンツ（Ｄ２，Ｄ３）を記録するコンテンツ記録手段（Ｕ１）と、を備える記録再生装置において、
前記番組コンテンツ（Ｄ２，Ｄ３）をジャンル毎に分類するためのジャンル情報（Ｄ１１）と、該ジャンルの関連語句（Ｄ１２）と、を対応付けて記録した関連語句記録部（８４ａ）と、
前記デジタル放送データ（Ｄ１）に字幕情報（Ｄ７）が含まれているか否かを判断し、字幕情報（Ｄ７）が含まれていないと判断した場合に前記コンテンツ記録手段（Ｕ１）で記録される番組コンテンツ（Ｄ２，Ｄ３）の音声を音声認識により文字に変換して該変換した文字を表示させるための音声文字ページ（Ｐ１）を順次生成して記録し、字幕情報（Ｄ７）が含まれていると判断した場合に該字幕情報（Ｄ７）を表示させるための音声文字ページ（Ｐ１）を順次生成して記録する音声文字ページ生成手段（Ｕ２）と、
前記コンテンツ記録手段（Ｕ１）で記録された番組コンテンツ（Ｄ２１）に対応付けるためのタイトル情報の変更操作欄（１１１）、及び、前記音声文字ページ生成手段（Ｕ２）で記録された音声文字ページ（Ｐ１）をテレビジョン（２００）に表示させ、該表示させた音声文字ページ（Ｐ１）に含まれる文字のコピー操作を受け付け、該受け付けた文字を前記変更操作欄（１１１）に貼り付ける付加情報変更手段（Ｕ３）と、
前記コンテンツ記録手段（Ｕ１）で記録された番組コンテンツ（Ｄ２１）に対応付けるための一以上のジャンル情報（Ｄ２５）の選択操作を前記関連語句記録部（８４ａ）に記録されているジャンル情報（Ｄ１１）の中から受け付け、該受け付けた一以上のジャンル情報（Ｄ２５）と、前記変更操作欄で受け付けられたタイトル情報（Ｄ２３）と、を前記コンテンツ記録手段（Ｕ１）で記録された番組コンテンツ（Ｄ２１）に対応付けて記録する付加情報記録手段（Ｕ４）と、
前記コピー操作を受け付けた文字に含まれる語句を前記関連語句（Ｄ１２）として前記付加情報記録手段（Ｕ４）で記録したジャンル情報（Ｄ１１）に対応付けて前記関連語句記録部（８４ａ）に記録する関連語句追加手段（Ｕ５）と、
前記付加情報を対応付ける番組コンテンツ（Ｄ２１）と以前に前記コンテンツ記録手段（Ｕ１）で記録された番組コンテンツ（Ｄ２１）とが同じシリーズ物であるか否かを判断するシリーズ物判定手段（Ｕ６）と、を備え、
前記音声文字ページ生成手段（Ｕ２）は、前記シリーズ物判定手段（Ｕ６）でシリーズ物であると判断された場合、前記音声文字ページ（Ｐ１）の中から以前に前記コンテンツ記録手段（Ｕ１）で記録された同じシリーズ物の番組コンテンツ（Ｄ２１）に対応付けられたジャンルの関連語句（Ｄ１２）を含む音声文字ページ（Ｐ１）を優先して前記テレビジョン（２００）に表示させることを特徴とする記録再生装置。
【発明の詳細な説明】
【技術分野】
【０００１】
本発明は、受信した放送データに含まれる番組コンテンツを記録する記録再生装置に関する。
【背景技術】
【０００２】
特許文献１には、録画番組リスト表示画面の映像信号を生成するＨＤＤ（ハードディスク）レコーダが開示されている。このＨＤＤレコーダは、録画した番組コンテンツの中からタイトル情報に特定の追加特殊文字情報が付加されている番組コンテンツを抽出し、該追加特殊文字情報をタイトル情報に付加して録画番組リスト表示画面の映像信号を生成する。
【０００３】
特許文献２には、テレビジョン信号に重畳された文字情報から単語を抽出する記録再生装置が開示されている。この記録再生装置は、抽出した単語をテレビジョン番組と関連付けて保存し、該保存した単語の中にユーザーの入力したキーワードが含まれない場合に関連付けたテレビジョン番組を記録媒体から削除する。
【０００４】
特許文献３には、タイトル情報を作成して番組コンテンツと対応付けて記録するＤＶＤ（Digital Versatile Disk）レコーダが開示されている。このＤＶＤレコーダは、ＤＶＤに記録した番組コンテンツに関する番組情報をデジタル放送データから抽出してテレビジョン受像機に表示させ、該表示させた番組情報から文字データをユーザーに選択させ、該選択された文字データを含むタイトル情報を作成する。
【先行技術文献】
【特許文献】
【０００５】
【特許文献１】特開２００８−１２３６１１号公報
【特許文献２】特許３７７２４４９号公報
【特許文献３】特開２００９−１８２９３９号公報
【特許文献４】特開２００４−２８９５３０号公報
【発明の概要】
【発明が解決しようとする課題】
【０００６】
録画した番組を後日観る際、タイトル名や番組内容から視聴するタイトルを選ぶことがある。しかし、放送局側から送られてくる番組内容やタイトル名では、情報不足の場合が多い。
【０００７】
特許文献１，２記載の技術は、記録するタイトル名や番組内容を変更することができないため、上述の問題がある。また、特許文献３記載の技術は、タイトル名に番組内容の一部しか入れることができないため、やはり上述の問題がある。
【０００８】
なお、特許文献４に開示されるように、映像音声データから音声データを抽出してテキストデータに変換する技術が知られている。しかし、特許文献４記載の記録再生装置は、テキストデータから切り出した文字を検索用のデータベースにするだけであり、記録する番組コンテンツに対応付けるタイトル名や番組内容を変更するものではない。
【０００９】
以上を鑑み、本発明は、記録した番組コンテンツに対応付けて記録する付加情報をより簡単に操作入力することを目的としている。
【課題を解決するための手段】
【００１０】
上記目的を達成するため、本発明は、番組コンテンツ及び番組情報を含む放送データを受信する受信手段と、
受信された前記放送データに含まれる番組コンテンツを記録するコンテンツ記録手段と、を備える記録再生装置において、
前記番組コンテンツをジャンル毎に分類するためのジャンル情報と、該ジャンルの関連語句と、を対応付けて記録した関連語句記録部と、
記録される前記番組コンテンツの音声に対応する文字を表示させるための音声文字ページを順次生成する音声文字ページ生成手段と、
前記コンテンツ記録手段で記録された番組コンテンツに対応付けるための付加情報の変更操作欄、及び、前記音声文字ページを表示装置に表示させ、該表示させた音声文字ページに含まれる文字のコピー操作を受け付け、該受け付けた文字を前記変更操作欄に貼り付ける付加情報変更手段と、
前記変更操作欄で受け付けられた付加情報と、前記関連語句記録部に記録されている一以上のジャンル情報と、を前記コンテンツ記録手段で記録された番組コンテンツに対応付けて記録する付加情報記録手段と、
前記コピー操作を受け付けた文字に含まれる語句を前記関連語句として前記付加情報記録手段で記録したジャンル情報に対応付けて前記関連語句記録部に記録する関連語句追加手段と、
前記付加情報を対応付ける番組コンテンツと以前に前記コンテンツ記録手段で記録された番組コンテンツとが同じシリーズ物であるか否かを判断するシリーズ物判定手段と、を備え、
前記音声文字ページ生成手段は、前記シリーズ物判定手段でシリーズ物であると判断された場合、前記音声文字ページの中から以前に前記コンテンツ記録手段で記録された同じシリーズ物の番組コンテンツに対応付けられたジャンルの関連語句を含む音声文字ページを優先して前記表示装置に表示させることを特徴とする。
【００１１】
前記付加情報を対応付ける番組コンテンツと以前に記録された番組コンテンツとが同じシリーズ物である場合、以前に記録された同じシリーズ物の番組コンテンツに対応付けられたジャンルの関連語句を含む音声文字ページが優先的に表示される。この音声文字ページに含まれる文字のコピー操作が受け付けられて前記付加情報の変更操作欄に貼り付けられるので、番組コンテンツに対応付けて記録する付加情報の操作入力がより簡単となる。
【００１２】
上述した発明は、記録再生装置の制御方法及び制御プログラム、該プログラムを記録したコンピュータ読み取り可能な媒体、等に適用可能である。
【発明の効果】
【００１３】
請求項１に係る発明によれば、記録した番組コンテンツに対応付けて記録する付加情報をより簡単に操作入力することが可能な記録再生装置を提供することができる。
請求項２に係る発明では、放送データに字幕情報が含まれていなくても付加情報をより簡単に操作入力することができる。
請求項３に係る発明では、字幕情報を有効活用して付加情報を操作入力することができる。
請求項４〜請求項８に係る発明では、記録した番組コンテンツに対応付けて記録する付加情報をさらに簡単に操作入力することができる。
請求項９に係る発明では、記録した番組コンテンツに対応付けて記録するタイトル情報をより簡単に操作入力することが可能な記録再生装置を提供することができる。
【図面の簡単な説明】
【００１４】
【図１】本発明の一実施形態に係る記録再生装置１００の構成をテレビジョン（表示装置）２００の構成とともに例示するブロック図である。
【図２】キー入力部１を例示する平面図である。
【図３】デジタル放送データＤ１の構造を模式的に例示する図である。
【図４】ＲＯＭ８５に書き込まれたプログラムを例示する図である。
【図５】（ａ）は関連語句Ｄ１２を追加する前の関連語句記録部８４ａの構造を模式的に例示する図、（ｂ）は関連語句Ｄ１２を追加した後の関連語句記録部８４ａの構造を模式的に例示する図である。
【図６】音声文字ページＰ１を例示する図である。
【図７】テレビジョン２００に表示される初期のタイトル情報編集画面１１０を例示する図である。
【図８】記録媒体Ｍ１に記録される情報の構造を模式的に例示する図である。
【図９】シリーズ物２回目以降の初期のタイトル情報編集画面１１０を例示する図である。
【図１０】記録再生装置１００が行う記録処理を例示するフローチャートである。
【図１１】記録再生装置１００が行う付加情報編集処理を例示するフローチャートである。
【図１２】コピーの開始位置を指定した状態のタイトル情報編集画面１１０を例示する図である。
【図１３】コピーの終了位置を指定した状態のタイトル情報編集画面１１０を例示する図である。
【図１４】文字の選択範囲をタイトル情報（付加情報）の変更操作欄１１１にペースとした状態のタイトル情報編集画面１１０を例示する図である。
【図１５】テレビジョン２００に表示される番組内容編集画面１２０を例示する図である。
【図１６】（ａ）はシリーズ物１回目の表示順を模式的に例示する図、（ｂ）はシリーズ物２回目以降の表示順を模式的に例示する図である。
【図１７】（ａ）はシリーズ物１回目の表示順を模式的に例示する図、（ｂ）はシリーズ物２回目以降の表示順を模式的に例示する図である。
【図１８】（ａ）は認識された文字を模式的に例示する図、（ｂ）は音声文字ページＰ２を例示する図である。
【図１９】シリーズ物２回目以降の初期のタイトル情報編集画面１１０を例示する図である。
【図２０】変形例に係る記録再生装置が行う記録処理を示すフローチャートである。
【図２１】所定の時間間隔毎に区切られた音声文字ページＰ１を生成する様子を模式的に例示する図である。
【図２２】（ａ）は所定の時間間隔毎に区切られた音声文字ページＰ１を生成する様子を模式的に例示する図、（ｂ）はシリーズ物２回目以降の表示順を模式的に例示する図である。
【図２３】（ａ）は所定範囲の時間内のみ音声文字ページＰ１を生成する様子を模式的に例示する図、（ｂ）はシリーズ物２回目以降の表示順を模式的に例示する図である。
【発明を実施するための形態】
【００１５】
（１）記録再生装置の概略：
図１に例示する記録再生装置１００は、キー入力部１、チューナ（受信手段）２、エンコーダ部３、信号処理部４、記録部５１，５２、デコーダ部６、ミキシング部７、制御部８、等を備え、外部にテレビジョン（表示装置）２００等が接続される。記録再生装置１００は、地上デジタル放送、ＢＳ（Broadcasting Satellite）放送、ＣＳ（Communication Satellite）放送、といった放送波の放送データを受信して適宜記録し、記録媒体から再生したコンテンツ等を外部のテレビジョン２００等へ出力する。図１に示す記録再生装置１００は、ＢＤ（Blue-ray Disc）等のディスク状記録媒体とハードディスクとに番組コンテンツ等を記録可能なブルーレイレコーダとされている。むろん、ハードディスクの無いブルーレイレコーダ、ＤＶＤレコーダ、レコーダとディスプレイ（テレビジョンを含む）の一体型装置、等の記録再生装置にも本発明を適用可能である。
【００１６】
図２に例示するキー入力部１は、機器本体を遠隔操作するリモコン（リモートコントローラ）に設けられ、電源キー１ａ、テンキー１ｂ、メニューキー１ｃ、ＥＰＧ（電子番組ガイド）表示キー１ｄ、カーソルキー１ｅ、決定キー１ｆ、等のキーを備えている。キー入力部１は、キーの押し操作を検出すると、押されたキーに応じた赤外線信号を生成して制御部８へ出力する。
【００１７】
チューナ２は、外部のアンテナ２ａにより受信した高周波の放送信号の中から受信チャンネルのデジタル放送データ（放送データ）のみを抽出し、低周波の信号に変換し、必要なパケットデータを取り出してエンコーダ部３へ出力する。
【００１８】
図３は、デジタル放送データＤ１の構造を模式的に例示している。地上デジタル放送等では、トランスポートストリームと呼ばれるパケットデータが伝送される。パケットデータには、放送番組の映像データＤ２や音声データＤ３の番組コンテンツが含まれる他、放送番組の各種情報が格納された番組情報Ｄ４が含まれる。例えば、番組情報Ｄ４のパケットには、番組のタイトル情報Ｄ５や番組内容Ｄ６（出演者やストーリ紹介など）を示したテキストデータ、番組の放送時間に関するデータ、等が格納される。また、字幕を有する放送の場合、パケットデータに字幕情報Ｄ７が含まれる。
なお、番組コンテンツの番組情報の取得方法は、上述のトランスポートストリームに含まれる番組情報Ｄ４から取得する方法に限らず、放送信号やインターネットで配信されている電子番組表等から録画した番組コンテンツの番組情報から取得する方法、等でもよい。
【００１９】
以上より、チューナ２は、番組コンテンツ及び番組情報を含む放送データを受信する受信手段を構成する。
【００２０】
図１に例示するエンコーダ部３は、ビデオエンコーダ３１、オーディオエンコーダ３２、データエンコーダ３３、フォーマッタ３４、を備え、受信された放送データＤ１から番組コンテンツＤ２，Ｄ３と番組情報Ｄ４とを分離する。
ビデオエンコーダ３１は、入力される映像データＤ２を所定の圧縮方式（例えば、ＭＰＥＧ２（Moving Picture Experts Group 2）方式）に従って圧縮し、該圧縮した映像データをパケット化し、ビデオパケットとしてフォーマッタ３４へ送出する。オーディオエンコーダ３２は、入力される音声データＤ３を所定の圧縮方式（例えば、ドルビーＡＣ３（Dolby Audio Compression 3）方式）に従って圧縮し、該圧縮した音声データをパケット化し、オーディオパケットとしてフォーマッタ３４へ送出する。
【００２１】
データエンコーダ３３は、入力される付加情報に対してエンコード処理を行う。ここで、データエンコーダ３３は、トランスポートストリームに含まれるＳＩ（Service Information；番組配列情報）の中から、記録した番組コンテンツに関連する番組情報を抽出してエンコードする。ＳＩは、サービスに関する情報を記述するＳＤＴ（Service Description Table）、番組（イベント）に関する情報を記述するＥＩＴ（Event Information Table）、現在の日付・時刻を記述するＴＯＴ（Time Offset Table）、放送事業者に関する情報を記述するＢＩＴ（Broadcaster Information Table）、等の各種テーブルである。ＥＩＴのＥＩＴ scheduledには、現在放送中の番組及び８日以内に放送予定の番組に関する情報が記述される。
フォーマッタ３４は、ビデオエンコーダ３１から入力される映像データ、オーディオエンコーダ３２から入力される音声データ、データエンコーダ３３から入力されるエンコード処理後の情報、に対して多重化処理を行う。さらに、多重化した番組コンテンツを記録媒体に書き込み可能なファイル形式（VOBU；Video Object Unit）に変換して、信号処理部４に供給する。
【００２２】
図１に例示する信号処理部４は、バッファメモリ４ａを備え、制御部８からの制御出力に基づいてデータの入出力経路を設定し、記録部５１，５２に対するデータの書き込み及び読み出しを行う。書き込み可能なディスク状記録媒体に番組コンテンツを記録する場合、信号処理部４は、エンコーダ部３から入力されたＶＯＢＵ形式の番組コンテンツに対して、誤り訂正符号化、８−１６変調等を行い、一旦バッファメモリ４ａに貯めた後に、制御部８からの制御出力に応じたタイミングでディスクドライブ部５１へ出力するとともに、再生制御に必要な管理情報を含む管理情報ファイルをディスクドライブ部５１へ出力し、番組コンテンツと対応付けてディスク状記録媒体に記録させる。ディスク状記録媒体から番組コンテンツを再生する場合、信号処理部４は、ディスクドライブ部５１から番組コンテンツ、必要な管理情報ファイル、タイトル情報ファイル、等を読み出し、波形等価、Ａ／Ｄ変換、８−１６復調、誤り訂正復号等を行い、一旦バッファメモリ４ａに貯めた後に、制御部８からの制御出力に応じたタイミングでデコーダ部６へ出力する。
【００２３】
図１に例示するディスクドライブ部５１は、ディスク状記録媒体の装着部、光ピックアップ、スピンドルモータ、光ピックアップをディスク状記録媒体の半径方向に移動させる送りモータ、等を備え、装着部に装着されたディスク状記録媒体に対してデータを読み書きする。図１に例示するハードディスクドライブ５２は、内蔵のハードディスクに対してデータを読み書きする。
【００２４】
図１に例示するデコーダ部６は、分離部（Demultiplexer）６１、ビデオデコーダ６２、オーディオデコーダ６３、データデコーダ６４、等を備えている。
分離部６１は、記録部５１，５２から信号処理部４を介して出力されたデータストリームを、ビデオストリーム、オーディオストリーム、サブピクチャストリーム、等の複数のストリームに分離する。ビデオデコーダ６２は、分離部６１から入力されるビデオストリームをデコードする。デコード後のビデオデータは、ミキシング部７を介してテレビジョン２００の表示部２００ａへ出力される。オーディオデコーダ６３は、分離部６１から入力されるオーディオストリームをデコードする。デコード後の音声データは、テレビジョン２００の音声出力部２００ｂへ出力される。データデコーダ６４は、分離部６１から入力されたエンコード処理後の情報をデコードし、ＯＳＤ（On-Screen Display）データを生成する。
【００２５】
図１に例示するミキシング部７は、ビデオデコーダ６２からのビデオデータとデータデコーダ６４からのＯＳＤデータと合成し、該合成したデータをテレビジョンの表示部２００ａへ出力する。
【００２６】
図１に例示する制御部８は、ＣＰＵ（Central Processing Unit）８１、ＳＴＣ(System Time Clock)といった計時部８２、ＲＡＭ（Random Access Memory）８３といった揮発性半導体メモリ、書き換え可能な不揮発性半導体メモリ８４、ＲＯＭ（Read Only Memory）８５といった不揮発性メモリ、等を備えている。
ＣＰＵ８１は、ＲＡＭ８３をワークエリアとして用いながらＲＯＭ８５の各種プログラムを実行することにより、記録再生装置１００の動作全般を制御する。
【００２７】
図４に例示するＲＯＭ８５には、コンピュータを記録再生装置１００として機能させるプログラムＵ１〜Ｕ６が書き込まれている。コンテンツ記録プログラム８５ａを実行する制御部８は、エンコーダ部３、信号処理部４、及び、記録部５１，５２とともにコンテンツ記録手段Ｕ１を構成する。音声文字ページ生成プログラム８５ｂを実行する制御部８は、音声文字ページ生成手段Ｕ２を構成する。付加情報変更プログラム８５ｃを実行する制御部８は、付加情報変更手段Ｕ３を構成する。付加情報記録プログラム８５ｄを実行する制御部８は、付加情報記録手段Ｕ４を構成する。関連語句追加プログラム８５ｅを実行する制御部８は、関連語句追加手段Ｕ５を構成する。シリーズ物判定プログラム８５ｆを実行する制御部８は、記録部５１，５２とともにシリーズ物判定手段Ｕ６を構成する。
【００２８】
不揮発性メモリ８４には、図５（ａ）に例示する関連語句記録部８４ａが設けられている。関連語句記録部８４ａは、番組コンテンツをジャンル毎に分類するためのジャンル情報Ｄ１１と、該ジャンルの関連語句Ｄ１２と、を対応付けて記録している。ジャンルには、音楽、スポーツ、映画、料理名、ドラマ、人名、地名、建造物、ゲーム、趣味、等がある。
【００２９】
次に、記録再生装置１００の各機能の概略を説明する。
受信手段（チューナ２）は、番組コンテンツＤ２，Ｄ３及び番組情報Ｄ４を含む放送データＤ１を受信する。
コンテンツ記録手段Ｕ１は、受信された前記放送データＤ１に含まれる番組コンテンツＤ２，Ｄ３を記録する。
【００３０】
関連語句記録部８４ａは、図５（ａ），（ｂ）に例示するように、前記番組コンテンツＤ２，Ｄ３をジャンル毎に分類するためのジャンル情報Ｄ１１と、該ジャンルの関連語句Ｄ１２と、を対応付けて記録している。
音声文字ページ生成手段Ｕ２は、図６（ａ）〜（ｃ）に例示するように、記録される前記番組コンテンツＤ２，Ｄ３の音声に対応する文字を表示させるための音声文字ページＰ１を順次生成する。
付加情報変更手段Ｕ３は、図７，１５に例示するように、前記コンテンツ記録手段Ｕ１で記録された番組コンテンツＤ２１に対応付けるための付加情報の変更操作欄１１１、及び、前記音声文字ページＰ１を表示装置２００に表示させる。そして、図１２〜１４に例示するように、該表示させた音声文字ページＰ１に含まれる文字のコピー操作を受け付け、該受け付けた文字を前記変更操作欄１１１に貼り付ける。
付加情報記録手段Ｕ４は、図８に例示するように、前記変更操作欄１１１で受け付けられた付加情報Ｄ２２と、前記関連語句記録部８４ａに記録されている一以上のジャンル情報Ｄ２５と、を前記コンテンツ記録手段Ｕ１で記録された番組コンテンツＤ２１に対応付けて記録する。
関連語句追加手段Ｕ５は、図５（ｂ）に例示するように、前記コピー操作を受け付けた文字に含まれる語句を前記関連語句Ｄ１２として前記付加情報記録手段Ｕ４で記録したジャンル情報Ｄ２５に対応付けて前記関連語句記録部８４ａに記録する。
シリーズ物判定手段Ｕ６は、前記付加情報Ｄ２２を対応付ける番組コンテンツＤ２１と以前に前記コンテンツ記録手段Ｕ１で記録された番組コンテンツＤ２１とが同じシリーズ物であるか否かを判断する。
【００３１】
音声文字ページ生成手段Ｕ２は、前記シリーズ物判定手段Ｕ６でシリーズ物であると判断された場合、図９に例示するように、前記音声文字ページＰ１の中から以前に前記コンテンツ記録手段Ｕ１で記録された同じシリーズ物の番組コンテンツＤ２１に対応付けられたジャンルの関連語句Ｄ１２を含む音声文字ページＰ１を優先して前記表示装置２００に表示させる。
【００３２】
付加情報Ｄ２２を対応付ける番組コンテンツＤ２１と以前に記録された番組コンテンツＤ２１とが同じシリーズ物である場合、以前に記録された同じシリーズ物の番組コンテンツＤ２１に対応付けられたジャンルの関連語句Ｄ１２を含む音声文字ページＰ１が優先的に表示される。この音声文字ページＰ１に含まれる文字のコピー操作が受け付けられて前記付加情報の変更操作欄１１１に貼り付けられるので、番組コンテンツＤ２１に対応付けて記録する付加情報の操作入力がより簡単となる。
【００３３】
ユーザーは、録画した番組を後日検索するとき、タイトル名や番組内容から観たいタイトルを選択する。しかし、放送局側から送られてくる番組内容やタイトル名では、ユーザーにとって情報不足の場合がある。従来は、後日の検索を容易にするために、ユーザーが必要な情報をタイトル名に一文字ずつ入力していた。しかし、実際タイトルに追記する文字を何にしようかと迷ってしまっていた。
以上の問題を解消するため、予め番組内の音声を文字化しておき、タイトルを変更する際に、文字化した文字列からユーザーが自由にコピー＆ペースト出来るような仕組みにしている。ユーザーは、必要とする文字列をコピーして、タイトル名にペーストすることで、ユーザーにとって意味のあるタイトル名に簡単に変更することが出来る。番組内容にも簡単に文字追加出来るような仕組みにしているので、ユーザーが必要とする文字を番組内容に追記＆変更ができ、レシピ追加などユーザーにとって意味のある番組内容になるように活用させることができる。
【００３４】
ユーザーは、文字データからコピー＆ペーストしてタイトルを変更することができる。ユーザーは、変更した箇所の文字が何のジャンルの文字列か覚えておき、番組のジャンルを選択することになる。ここで、ジャンルの関連語句は、図５（ａ）に例示するように比較用や検索用データとしてデータベース化され、タイトルに追加した文字が何のジャンルに属するのか判断する際に利用される。ユーザーは、関連語句に追加することが可能である。これにより、よりジャンル検索の精度が上がる。
【００３５】
ユーザーが別の日に放送されたシリーズ物のタイトルや番組内容を変更する場合、シリーズ物１回目のタイトル変更で追加したジャンルが含まれるページから優先的に表示される（ユーザーが探しているページが優先的に表示される）。すなわち、単純に番組の最初のページからの文字列を表示するのではなく、キーとなるジャンルが含まれるページの優先度を上げて表示することで、ユーザーに文字列を捜させる手間を軽減させることができる。キーとなるジャンルが含まれないページの表示の順番が後回しにされることで、ユーザーに文字列を捜させる手間を減らすことができる。
【００３６】
ここで、認識する文字は、日本語のみならず、英語といった外国語等でもよい。
ジャンル情報は、記録再生装置に設定された情報、放送データに含まれる情報、等が含まれる。ジャンル情報のデータ構造は、各ジャンルに対応させた識別情報、ジャンルを表す各文字の文字コードの組み合わせ、等が含まれる。
音声文字ページは、ページ毎に重複しないページ、スクロール可能なページ、等が含まれる。
付加情報の変更操作欄は、図７に例示するようなタイトル情報の変更操作欄１１１、図１５に例示する番組内容編集画面１２０の番組内容の変更操作欄１２１、等が含まれる。
関連語句追加手段Ｕ５で追加される関連語句は、音声文字ページのコピー操作でコピーされた文字列そのもの、該文字列を構成する各名詞といった該文字列の一部、等が含まれる。
【００３７】
前記音声文字ページ生成手段Ｕ２は、前記コンテンツ記録手段Ｕ１で記録される番組コンテンツＤ２，Ｄ３の音声を音声認識により文字に変換し、該変換した文字を表示させるための前記音声文字ページＰ１を順次生成してもよい。これにより、放送データＤ１に字幕情報Ｄ７が含まれていなくても付加情報をより簡単に操作入力することができる。
【００３８】
前記音声文字ページ生成手段Ｕ２は、前記放送データＤ１に字幕情報Ｄ７が含まれているか否かを判断し、字幕情報Ｄ７が含まれていると判断した場合に該字幕情報Ｄ７を前記コンテンツ記録手段Ｕ１で記録される番組コンテンツＤ２，Ｄ３の音声に対応する文字として前記音声文字ページＰ１を順次生成してもよい。すると、字幕情報Ｄ７を有効活用して付加情報を操作入力することができる。
【００３９】
前記音声文字ページ生成手段Ｕ２は、前記コンテンツ記録手段Ｕ１で記録される番組コンテンツＤ２，Ｄ３の音声を所定の時間間隔毎に区切り、該区切った音声から文字を抽出し、該抽出した文字を含む前記音声文字ページＰ１を順次生成してもよい。すると、記録した番組コンテンツＤ２１に対応付けて記録する付加情報をさらに簡単に操作入力することができる。
【００４０】
前記音声文字ページ生成手段Ｕ２は、前記シリーズ物判定手段Ｕ６でシリーズ物であると判断された場合であって、以前に前記コンテンツ記録手段Ｕ１で記録された同じシリーズ物の番組コンテンツＤ２１に前記付加情報記録手段Ｕ４で複数の前記ジャンル情報Ｄ２５が対応付けられて記録されている場合、前記音声文字ページＰ１の中から以前に前記コンテンツ記録手段Ｕ１で記録された同じシリーズ物の番組コンテンツＤ２１に対応付けられた最多数のジャンルの関連語句Ｄ１２を含む音声文字ページＰ１を優先して前記表示装置２００に表示させてもよい。すると、記録した番組コンテンツＤ２１に対応付けて記録する付加情報をさらに簡単に操作入力することができる。
【００４１】
前記付加情報変更手段Ｕ３は、前記シリーズ物判定手段Ｕ６でシリーズ物であると判断された場合、前記音声文字ページＰ１の中から以前に前記コンテンツ記録手段Ｕ１で記録された同じシリーズ物の番組コンテンツＤ２１に対応付けられたジャンルの関連語句Ｄ１２を含む文を抽出して該文の一覧の音声文字ページＰ２を前記表示装置２００に表示させ、該表示させた音声文字ページＰ２に含まれる文字のコピー操作を受け付け、該受け付けた文字を前記変更操作欄１１１に貼り付けてもよい。すると、記録した番組コンテンツＤ２１に対応付けて記録する付加情報をさらに簡単に操作入力することができる。
【００４２】
前記付加情報変更手段Ｕ３は、前記音声文字ページＰ１の中から前記コンテンツ記録手段Ｕ１で記録された番組コンテンツＤ２，Ｄ３の番組開始から所定時間後の時間に最も近い音声文字ページＰ１を優先して前記表示装置２００に表示させてもよい。すると、記録した番組コンテンツＤ２１に対応付けて記録する付加情報をさらに簡単に操作入力することができる。
【００４３】
前記音声文字ページ生成手段Ｕ２は、前記シリーズ物判定手段Ｕ６でシリーズ物であると判断された場合、以前に前記コンテンツ記録手段Ｕ１で記録された同じシリーズ物の番組コンテンツＤ２１に対応付けられた付加情報Ｄ２２を受け付けた文字を含む音声文字ページＰ１が生成された時刻を含む所定範囲の時間内のみ、前記コンテンツ記録手段Ｕ１で記録される番組コンテンツＤ２，Ｄ３の音声に対応する文字を表示させるための前記音声文字ページＰ１を生成してもよい。すると、音声文字ページＰ１の記録容量を削減することができ、記録再生装置をコストダウンすることが可能となる。
【００４４】
（２）記録再生装置の動作、作用、及び、効果：
図１０，１１は、記録再生装置１００の制御部８が行う処理をフローチャートにより例示している。図１０の記録処理は、キー入力部１に番組コンテンツの記録開始の操作入力が行われたときに開始し、マルチタスクにより他の処理と並列して行われる。ここで、ステップＳ１０２はコンテンツ記録手段Ｕ１に対応し、ステップＳ１０４〜Ｓ１１２は音声文字ページ生成手段Ｕ２に対応し、ステップＳ２０４〜Ｓ２１６は付加情報変更手段Ｕ３に対応し、ステップＳ１１６〜Ｓ１１８は付加情報記録手段Ｕ４に対応し、ステップＳ１２０は関連語句追加手段Ｕ５に対応し、ステップＳ２０２はシリーズ物判定手段Ｕ６に対応している。以下、「ステップ」の記載を省略する。
【００４５】
記録処理を開始すると、制御部８は、チューナ２で受信されたデジタル放送データＤ１に含まれる番組コンテンツＤ２，Ｄ３の記録を開始する（Ｓ１０２）。すると、ＢＤやハードディスクといった記録媒体Ｍ１に映像データ及び音声データを含む番組コンテンツが記録されていく。
【００４６】
Ｓ１０４では、現在、番組コンテンツＤ２，Ｄ３を記録しているか否かを判断する。記録中の場合、制御部８は、デジタル放送データＤ１に字幕情報Ｄ７が含まれているか否かを判断する（Ｓ１０６）。字幕情報Ｄ７が含まれていない場合、制御部８は、音声データＤ３の音声を音声認識により文字に変換する（Ｓ１０８）。音声認識には、公知の音声認識を適用することができる。本実施形態では漢字変換まで行っているが、漢字変換を行わずひらがな又はカタカナへの変換を行ってもよい。その後、制御部８は、変換した文字を表示させるための音声文字ページＰ１を１ページ分生成し、生成した時間と対応付けて不揮発性メモリ８４に記録し（Ｓ１１０）、処理をＳ１０４に戻す。図６（ａ）〜（ｃ）は、音声文字ページＰ１を例示している。図６（ａ）は、抽出した映像に文字が最初に現れた１ページ目の音声文字ページＰ１を例示している。図６（ｂ）は、抽出した映像に文字がｊ番目（ｊは２以上の整数）に現れたｊページ目の音声文字ページＰ１を例示している。図６（ｃ）は、抽出した映像に文字がｋ番目（ｋはｊよりも大きい整数）に現れたｋページ目の音声文字ページＰ１を例示している。
【００４７】
Ｓ１０６の判断処理でデジタル放送データＤ１に字幕情報Ｄ７が含まれていると判断されると、制御部８は、該字幕情報Ｄ７から音声文字ページＰ１を１ページ分生成し、生成した時間と対応付けて不揮発性メモリ８４に記録し（Ｓ１１２）、処理をＳ１０４に戻す。
【００４８】
Ｓ１０４の判断処理で記録中でないと判断されると、制御部８は、図１１に例示する付加情報編集処理を行う（Ｓ１１４）。
【００４９】
付加情報編集処理を開始すると、制御部８は、今回記録した番組コンテンツと同じシリーズ物の番組コンテンツＤ２１が記録媒体Ｍ１に記録されているか否かを判断する（Ｓ２０２）。この判断処理は、例えば、今回記録したデジタル放送データＤ１に含まれていたタイトル情報Ｄ５の最初のｎ文字（ｎは２以上の整数。例えば、ｎ＝１０）がタイトル情報Ｄ２３に含まれる番組コンテンツＤ２１が記録媒体Ｍ１に記録されているか否かを判断する処理とすることができる。また、今回記録した番組コンテンツと同じ記録開始時刻及び記録終了時刻の同じ曜日（例えば１週間前）の番組コンテンツが記録媒体Ｍ１に記録されているか否かを判断する処理としてもよい。むろん、前者の処理と後者の処理を組み合わせてＳ２０２の判断処理を行ってもよい。
以上のようにして、付加情報を対応付ける番組コンテンツＤ２１と以前にコンテンツ記録手段Ｕ１で記録された番組コンテンツＤ２１とが同じシリーズ物であるか否かが判断される。
【００５０】
シリーズ物の１回目のように同じシリーズ物の番組コンテンツＤ２１が記録されていない場合、制御部８は、図７に例示するようなタイトル情報編集画面１１０をテレビジョン２００に表示させる（Ｓ２０４）。この画面１１０は、タイトル情報の変更操作欄１１１、音声文字ページＰ１、「最初のページ」領域１１２ａ、「前のページ」領域１１２ｂ、「次のページ」領域１１２ｃ、「最後のページ」領域１１２ｄ、「終了」領域１１２ｅ、を備えている。変更操作欄１１１は、コンテンツ記録手段Ｕ１で記録された番組コンテンツＤ２１に対応付けるためのタイトル情報の変更操作欄である。音声文字ページＰ１は、音声文字ページ生成手段Ｕ２で記録された音声文字ページＰ１であり、初期画面では図６（ａ）で例示したような１ページ目の音声文字ページである。各領域１１２ａ〜１１２ｅは、キー入力部１のカーソルキー１ｅ及び決定キー１ｆを押し操作することにより選択操作可能である。「次のページ」領域１１２ｃを押し操作すると、図１６（ａ）に例示するように、音声文字ページＰ１が時刻順通りのページ順に切り替わる。
【００５１】
また、制御部８は、表示させた音声文字ページＰ１に含まれる文字のコピー操作を受け付け、該受け付けた文字を変更操作欄１１１に貼り付ける（Ｓ２０６）。
コピー操作を受け付ける処理は、例えば、音声文字ページＰ１の中から選択したい文字の開始位置と終了位置を指定する操作入力を受け付ける処理とすることができる。開始位置の指定は、カーソルキー１ｅを押し操作して音声文字ページＰ１中の開始位置で決定キー１ｆを押し操作することにより行うことができる。図１２は、「牛」を開始位置に指定する例を示している。カーソルを「牛」に合わせて決定キー１ｆを押し操作すると、「牛」が開始位置に指定されて反転表示され、「終了位置を指定して下さい。」が表示される。終了位置の指定は、カーソルキー１ｅを押し操作して音声文字ページＰ１中の終了位置で決定キー１ｆを押し操作することにより行うことができる。図１３は、「牛乳とレモン汁でできるチーズ作り」の「り」を終了位置に指定する例を示している。カーソルを「り」に合わせて決定キー１ｆを押し操作すると、「り」が終了位置に指定され、「牛乳とレモン汁でできるチーズ作り」が選択されて反転表示され、「コピーしますか？『はい』／『いいえ』」が表示される。
【００５２】
受け付けた文字を貼り付けるペースト処理は、例えば、文字がコピー操作された状態でカーソルキー１ｅの押し操作により「はい」領域１１３が選択されて決定キー１ｆが押し操作されたとき、コピー操作された文字をタイトル情報の変更操作欄１１１に追加する処理とすることができる。図１４は、「はい」領域１１３が選択操作され、「牛乳とレモン汁でできるチーズ作り」が変更操作欄１１１の「Ｔ＆Ｋ  男子ごはん  第１回」の後に追加されたタイトル情報編集画面１１０が例示されている。むろん、変更操作欄１１１内の文字位置をカーソルキー１ｅで指定することができるようにして、この指定した文字位置にコピー操作された文字を追加するようにしてもよい。
タイトル情報Ｄ２３（付加情報Ｄ２２）をさらに編集する場合、領域１１２ａ〜１１２ｄの選択操作、音声文字ページＰ１内の文字のコピー操作、及び、ペースト操作を繰り返してもよいし、変更操作欄１１１内の文字を直接加除してもよい。
【００５３】
「終了」領域１１２ｅが選択操作されると、タイトル情報Ｄ２３が決定されたことになる。このとき、制御部８は、図１０のＳ１１６に進み、コンテンツ記録手段Ｕ１で記録された番組コンテンツＤ２１に対応付けるための一以上のジャンル情報Ｄ２５の選択操作を関連語句記録部８４ａに記録されているジャンル情報Ｄ１１の中から受け付ける。図５（ａ）に示す例では、ジャンルとして音楽、スポーツ、映画、料理名、ドラマ、等がテレビジョン２００に表示されることとなる。この場合、ユーザーは、これらのジャンルの表示領域からカーソルキー１ｅ及び決定キー１ｆを押し操作することにより一以上のジャンルを選択操作可能である。例えば、「料理名」領域の位置で決定キー１ｆが押し操作されると、ジャンル情報Ｄ２５として「料理名」が選択操作されたことになる。
Ｓ１１８では、受け付けた一以上のジャンル情報Ｄ２５と、変更操作欄１１１で受け付けられたタイトル情報Ｄ２３を含む付加情報Ｄ２２と、をコンテンツ記録手段Ｕ１で記録された番組コンテンツＤ２１に対応付けて記録媒体Ｍ１に記録する。本実施形態の付加情報Ｄ２２は、図８に例示するように、タイトル情報Ｄ２３、番組内容Ｄ２４、等が含まれる。上述した例では、ジャンル情報「料理名」とタイトル情報「Ｔ＆Ｋ  男子ごはん  第１回  牛乳とレモン汁でできるチーズ作り」とが今回記録された番組コンテンツＤ２１に対応付けられて記録される。ここで、図８に例示する番組コンテンツ２，３のように、複数のジャンルが選択操作されると複数のジャンル情報Ｄ２５が番組コンテンツＤ２１に対応付けられて記録される。
【００５４】
Ｓ１２０では、音声文字ページＰ１でコピー操作を受け付けた文字に含まれる語句を関連語句Ｄ１２として付加情報記録手段Ｕ４で記録したジャンル情報Ｄ１１に対応付けて関連語句記録部８４ａに記録する。ここで、コピー操作を受け付けた文字をそのまま関連語句記録部８４ａに記録してもよいが、コピー操作を受け付けた文字に含まれる各名詞を抽出して関連語句記録部８４ａに記録してもよい。図５（ｂ）は、「牛乳とレモン汁でできるチーズ作り」から助詞等を除いて「牛乳」、「レモン汁」、「チーズ」を「料理名」に対応付けて関連語句記録部８４ａに記録した例が示されている。名詞の誤判別対策として、抽出した各名詞を選択されたジャンルに対応付けて記録してよいか否かを選択させる表示をさせ、否の場合に抽出した各名詞の編集を受け付ける処理を行ってもよい。
以上説明したようにして、シリーズ物１回目等の番組を記録する処理が終了する。
【００５５】
一方、図１１のＳ２０２で今回記録した番組コンテンツと同じシリーズ物の番組コンテンツＤ２１が記録媒体Ｍ１に記録されていると判断されると、制御部８は、以前に記録された同じシリーズ物の番組コンテンツＤ２１に対応付けられたジャンル情報Ｄ２５を記録媒体Ｍ１から読み出す（Ｓ２０８）。Ｓ２１０では、この読み出したジャンル情報Ｄ２５に対応付けられた関連語句Ｄ１２を関連語句記録部８４ａから読み出す。例えば、関連語句記録部８４ａに図５（ｂ）に示すような関連語句Ｄ１２が記録されており、以前に記録された同じシリーズ物の番組コンテンツＤ２１に対応付けられたジャンル情報Ｄ２５が「料理名」である場合、関連語句記録部８４ａのジャンル情報Ｄ１１の中から「料理名」に対応付けられた関連語句Ｄ１２である「鮭」、「グラタン」、…、「牛乳」、「レモン汁」、「チーズ」が取得される。
【００５６】
Ｓ２１２では、取得された関連語句Ｄ１２を含む音声文字ページＰ１を検索する。図１６（ａ）に例示する複数の音声文字ページＰ１が生成されたとき、上述した例では、関連語句「牛乳」を含む２ページ目、関連語句「レモン汁」を含む４ページ目、関連語句「チーズ」を含む５ページ目、の音声文字ページＰ１が検索される。
【００５７】
Ｓ２１４では、図９に例示するようなタイトル情報編集画面１１０をテレビジョン２００に表示させる。この画面１１０は、図７に例示したタイトル情報編集画面と似た画面であるものの、音声文字ページＰ１として以前に記録された番組コンテンツＤ２１に対応付けられたジャンルの関連語句Ｄ１２を含むページが優先的に表示される。「次のページ」領域１１２ｃを押し操作すると、図１６（ｂ）に例示するように、まず、同じシリーズ物の番組コンテンツＤ２１に対応付けられたジャンルの関連語句Ｄ１２を含む音声文字ページＰ１が時刻順通りのページ順に切り替わり、その後、該関連語句Ｄ１２を含まない音声文字ページＰ１が時刻順通りのページ順に切り替わる。
このように、付加情報編集画面で毎回ユーザーがコピー＆ペースト操作した文字に含まれる関連語句がジャンルに対応付けられて蓄積され、シリーズ物２回目以降の場合には以前のシリーズ物に対応付けられたジャンルの関連語句が含まれる音声文字ページＰ１から表示される。従って、番組コンテンツＤ２１に対応付けて記録する付加情報の操作入力がより簡単となる。
【００５８】
また、シリーズ物であると判断された場合であって、以前に記録された同じシリーズ物の番組コンテンツＤ２１に複数のジャンル情報Ｄ２５が対応付けられて記録されている場合、音声文字ページＰ１の中から以前に記録された同じシリーズ物の番組コンテンツＤ２１に対応付けられた最多数のジャンルの関連語句Ｄ１２を含む音声文字ページＰ１が優先的に表示される。例えば、以前のシリーズ物にジャンル「料理名」とジャンル「スポーツ」が対応付けられている場合に、図１７（ａ）に示すように、１，４ページ目に同じジャンルの関連語句Ｄ１２が無い音声文字ページＰ１が生成され、２ページ目に「料理名」のみの関連語句「牛乳」を含む音声文字ページＰ１が生成され、３，６ページ目に「料理名」と「スポーツ」の両方の関連語句を含む音声文字ページＰ１が生成され、５ページ目に「スポーツ」のみの関連語句「サッカー」を含む音声文字ページＰ１が生成されたとする。すると、図１７（ｂ）に例示するように、まず、最多数のジャンルの関連語句Ｄ１２を含む音声文字ページＰ１が時刻順通りのページ順に切り替わり、次に、一つのジャンルのみの関連語句Ｄ１２を含む音声文字ページＰ１が時刻順通りのページ順に切り替わり、その後、該関連語句Ｄ１２を含まない音声文字ページＰ１が時刻順通りのページ順に切り替わる。
従って、番組コンテンツＤ２１に対応付けて記録する付加情報の操作入力がさらに簡単となる。
【００５９】
そして、制御部８は、Ｓ２０６と同様、表示させた音声文字ページＰ１に含まれる文字のコピー操作を受け付け、該受け付けた文字を変更操作欄１１１に貼り付ける（Ｓ２１６）。「終了」領域１１２ｅが選択操作されると、制御部８は、図１０のＳ１１６〜Ｓ１２０に進み、一以上のジャンル情報Ｄ２５の選択操作を受け付け、受け付けた一以上のジャンル情報Ｄ２５と、変更操作欄１１１で受け付けられたタイトル情報Ｄ２３と、を番組コンテンツＤ２１に対応付けて記録し、コピー操作を受け付けた文字に含まれる語句を関連語句Ｄ１２として関連語句記録部８４ａに記録する。
以上説明したようにして、シリーズ物２回目以降の番組を記録する処理が終了する。
【００６０】
以上説明したように、付加情報Ｄ２２を対応付ける番組コンテンツＤ２１と以前に記録された番組コンテンツＤ２１とが同じシリーズ物である場合、以前に記録された同じシリーズ物の番組コンテンツＤ２１に対応付けられたジャンルの関連語句Ｄ１２を含む音声文字ページＰ１が優先的に表示される。この音声文字ページＰ１に含まれる文字のコピー操作が受け付けられて付加情報の変更操作欄１１１に貼り付けられるのである。従って、本記録再生装置１００は、記録した番組コンテンツＤ２１に対応付けて記録する付加情報をより簡単に操作入力することができる。
【００６１】
（３）変形例：
上述した処理の各ステップの順番は、適宜、変更可能である。例えば、Ｓ１０４の処理の前にＳ１０６の処理を行ってもよい。
【００６２】
また、音声文字ページを表示させる際、ジャンルの関連語句を含む文のみを集めて一覧することができるページを用意してもよい。例えば、以前に記録されたシリーズ物に対応付けられたジャンルが「料理名」であり、番組コンテンツの映像データＤ２から図１８（ａ）に示すような文字が認識されたものとする。また、図５（ｂ）に例示したように、「料理名」に関連語句Ｄ１２として「鮭」、「グラタン」、…、「牛乳」、「レモン汁」、「チーズ」が対応付けられているものとする。付加情報変更手段Ｕ３は、シリーズ物であると判断された場合、図１８（ｂ）に例示するようにこれらの関連語句Ｄ１２を含む文のみを抽出して該文の一覧の音声文字ページＰ２を生成し、図１９に例示するタイトル情報編集画面１１０をテレビジョン２００に表示させる。同様にして、番組内容編集画面を表示させてもよい。そして、付加情報変更手段Ｕ３は、表示させた音声文字ページＰ２に含まれる文字のコピー操作を受け付け、該受け付けた文字をタイトル情報の変更操作欄１１１や番組内容の変更操作欄に貼り付ける。
【００６３】
このようにして、記録した番組コンテンツＤ２１に対応付けて記録する付加情報をさらに簡単に操作入力することができる。映像からの文字データが多い場合、検索の手間を軽減することができる。ジャンルの関連語句を追加可能とすることでジャンル検索の精度が上がるため、この一覧できる音声文字ページＰ２で充分ユーザーの要求を満たすことができる。
【００６４】
さらに、図２０に例示するように、放送データＤ１に字幕情報Ｄ７が含まれるかに関係なく、番組コンテンツＤ２，Ｄ３の音声を音声認識により文字に変換し、音声文字ページＰ１，Ｐ２を順次生成してもよい。
【００６５】
さらに、図２１に例示するように、記録される音声データＤ３の音声を所定の時間間隔毎に区切り、該区切った音声から文字を抽出し、該抽出した文字を含む音声文字ページＰ１を順次生成してもよい。音声を区切る所定の時間間隔をｔ秒とすると、音声を区切る時間は、例えば、記録開始時から０〜ｔ秒の時間、ｔ〜２ｔ秒の時間、…、（ｉ−１）ｔ〜ｉｔ秒の時間（ｉは１以上の整数）、…、となる。例えば、ｔ＝２０とすると、記録開始時から０〜２０秒の時間、２０〜４０秒の時間、…、２０（ｉ−１）〜２０ｉ秒の時間、…、となる。この間隔で図１０，２０のＳ１０８〜Ｓ１１０の処理を行うと、所定の時間間隔毎に区切られたページ単位の音声文字ページＰ１が順次生成される。字幕情報Ｄ７から音声文字ページＰ１を生成する場合も、同様にして所定の時間間隔毎に区切られた音声文字ページＰ１を生成することができる。音声文字ページＰ１を不揮発性メモリ８４に記録する際には、該音声文字ページＰ１の音声認識開始時刻及び音声認識終了時刻と対応付けて記録してもよい。
【００６６】
不揮発性メモリ８４に記録された音声文字ページＰ１に音声認識開始時刻と音声認識終了時刻の少なくとも一方が対応付けられていると、番組コンテンツの記録開始時からの時間により音声文字ページＰ１の表示の優先度に軽重を付けて付加情報編集画面を表示させることができる。
【００６７】
例えば、アニメでタイトルの音声が出現する時刻は、大体決まっている。そこで、番組コンテンツにとって重要な音声が出現する時刻が一般に記録開始時からＴ１分後（例えば３分後）とする。ここで、図２２（ａ）に例示するように所定の時間間隔毎に区切られた音声文字ページＰ１が順次生成されたとする。一変形例として、付加情報変更手段Ｕ３は、音声文字ページＰ１の中からコンテンツ記録手段Ｕ１で記録された番組コンテンツＤ２，Ｄ３の番組開始から所定時間Ｔ１分後の時間に最も近い音声文字ページＰ１から優先してテレビジョン２００に表示させてもよい。シリーズ物１回目等の番組では、例えば、記録開始時から２分４０秒〜３分の音声文字ページＰ１、３分〜３分２０秒の音声文字ページＰ１、２分２０秒〜２分４０秒の音声文字ページＰ１、３分２０秒〜３分４０秒の音声文字ページＰ１、という順に表示させることができる。シリーズ物２回目以降の番組では、図２２（ｂ）に例示するように、以前に記録された番組コンテンツＤ２１に対応付けられたジャンルの関連語句Ｄ１２を含む音声文字ページＰ１の中から所定時間Ｔ１分後の時間に最も近い音声文字ページＰ１から優先してテレビジョン２００に表示させ、次に、該関連語句Ｄ１２を含まない音声文字ページＰ１の中から所定時間Ｔ１分後の時間に最も近い音声文字ページＰ１から優先してテレビジョン２００に表示させてもよい。
【００６８】
以前に記録された同じシリーズ物の番組コンテンツＤ２１に複数のジャンル情報Ｄ２５が対応付けられて記録されている場合には、以前に記録された同じシリーズ物の番組コンテンツＤ２１に対応付けられた最多数のジャンルの関連語句Ｄ１２を含む音声文字ページＰ１の中から所定時間Ｔ１分後の時間に最も近い音声文字ページＰ１から優先してテレビジョン２００に表示させてもよい。
【００６９】
また、番組に登場するゲストを紹介する時刻は、大体決まっている。この時刻は、以前に記録されたシリーズ物の出現時刻と大体同じはずである。そこで、一変形例として、音声文字ページ生成手段Ｕ２は、以前に記録された同じシリーズ物の番組コンテンツＤ２１に対応付けられた付加情報Ｄ２２を受け付けた文字を含む音声文字ページＰ１が生成された時刻（記録開始時からＴ２〜Ｔ３秒とする）を含む所定範囲の時間内（±Ｔ４分とする）のみ、音声文字ページＰ１を生成してもよい。
【００７０】
ここで、Ｔ２を１０分、Ｔ３を１０分２０秒、Ｔ４を５分とし、時刻Ｔ２からＴ４前の５分に音声文字ページＰ１の生成を開始し、時刻Ｔ３からＴ４後の１５分２０秒に音声文字ページＰ１の生成を終了するものとする。この場合、図２３（ａ）に例示するように、記録開始時から５分〜１５分２０秒の範囲内で所定の時間間隔毎に区切られた音声文字ページＰ１が順次生成される。従って、図２３（ｂ）に例示するように、シリーズ物２回目以降の付加情報編集画面には、５分〜１５分２０秒の範囲内で音声文字ページＰ１が表示される。
本変形例では、音声文字ページＰ１の記録容量を削減することができ、記録再生装置をコストダウンすることが可能となる。
【００７１】
ところで、上述した実施形態から、本発明は、番組コンテンツＤ２，Ｄ３及び番組情報Ｄ４を含む放送データＤ１を受信する受信手段２と、
受信された前記放送データＤ１に含まれる番組コンテンツＤ２，Ｄ３を記録するコンテンツ記録手段Ｕ１と、を備える記録再生装置１００において、
記録される前記番組コンテンツＤ２，Ｄ３の音声に対応する文字をを表示させるための音声文字ページＰ１を順次生成する音声文字ページ生成手段Ｕ２と、
前記コンテンツ記録手段Ｕ１で記録された番組コンテンツＤ２１に対応付けるための付加情報の変更操作欄１１１、及び、前記音声文字ページＰ１を表示装置２００に表示させ、該表示させた音声文字ページＰ１に含まれる文字のコピー操作を受け付け、該受け付けた文字を前記変更操作欄１１１に貼り付ける付加情報変更手段Ｕ３と、
前記変更操作欄１１１で受け付けられた付加情報Ｄ２２を前記コンテンツ記録手段Ｕ１で記録された番組コンテンツＤ２１に対応付けて記録する付加情報記録手段Ｕ４とを備える側面を有する。
【００７２】
すなわち、前記コンテンツ記録手段Ｕ１で記録された番組コンテンツＤ２１に対応付けるための付加情報の変更操作欄１１１、及び、前記音声文字ページＰ１が表示装置２００に表示され、該表示された音声文字ページＰ１に含まれる文字のコピー操作が受け付けられ、該受け付けられた文字が前記変更操作欄１１１に貼り付けられる。この変更操作欄１１１で受け付けられた付加情報Ｄ２２が前記コンテンツ記録手段Ｕ１で記録された番組コンテンツＤ２１に対応付けて記録される。従って、本側面も、記録した番組コンテンツＤ２１に対応付けて記録する付加情報をより簡単に操作入力することが可能な記録再生装置１００を提供することができる。
【００７３】
むろん、従属請求項に係る構成要件を有しておらず独立請求項（実施形態に記載した側面を含む）に係る構成要件のみからなる装置、システム、方法及びプログラムでも、上述した基本的な作用、効果が得られる。
【００７４】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００７５】
２…チューナ（受信手段）、
８４ａ…関連語句記録部、
１００…記録再生装置、
１１０…タイトル情報編集画面、１１１…付加情報の変更操作欄、
１２０…番組内容編集画面、１２１…付加情報の変更操作欄、
２００…テレビジョン（表示装置）、
Ｄ１…デジタル放送データ（放送データ）、
Ｄ２…映像データ（番組コンテンツ）、Ｄ３…音声データ（番組コンテンツ）、
Ｄ４…番組情報、Ｄ５…タイトル情報、Ｄ６…番組内容、Ｄ７…字幕情報、
Ｄ１１…ジャンル情報、Ｄ１２…関連語句、
Ｄ２１…番組コンテンツ、
Ｄ２２…付加情報、Ｄ２３…タイトル情報、Ｄ２４…番組内容、
Ｄ２５…ジャンル情報、
Ｍ１…記録媒体、
Ｐ１，Ｐ２…音声文字ページ、
Ｕ１…コンテンツ記録手段、Ｕ２…音声文字ページ生成手段、Ｕ３…付加情報変更手段、
Ｕ４…付加情報記録手段、Ｕ５…関連語句追加手段、Ｕ６…シリーズ物判定手段。
【図１】
2012044462.tif 000003
【図２】
2012044462.tif 000004
【図３】
2012044462.tif 000005
【図４】
2012044462.tif 000006
【図５】
2012044462.tif 000007
【図６】
2012044462.tif 000008
【図７】
2012044462.tif 000009
【図８】
2012044462.tif 000010
【図９】
2012044462.tif 000011
【図１０】
2012044462.tif 000012
【図１１】
2012044462.tif 000013
【図１２】
2012044462.tif 000014
【図１３】
2012044462.tif 000015
【図１４】
2012044462.tif 000016
【図１５】
2012044462.tif 000017
【図１６】
2012044462.tif 000018
【図１７】
2012044462.tif 000019
【図１８】
2012044462.tif 000020
【図１９】
2012044462.tif 000021
【図２０】
2012044462.tif 000022
【図２１】
2012044462.tif 000023
【図２２】
2012044462.tif 000024
【図２３】
2012044462.tif 000025